(57)【要約】【課題】  リモコンのキー標識のレイアウトとプリセットデータを、ユーザーが自由に設定できるとともにコストダウンを図ること。【解決手段】  リモコンのプリセット方法において、パソコン５０によってプリセットデータを作成してリモコン１０のＲＡＭ２５に転送するとともに、パソコン５０によってリモコン１０のキー標識レイアウト画像データを作成し、対応するキー標識レイアウト画像を銘板３５に印刷し、この銘板３５をリモコン１０のキー操作部３１に固着する。汎用のパソコン５０を用いて、安価にリモコン１０の使い勝手を向上させることができる。【選択図】  図１
2006005808.tif 000002
【特許請求の範囲】
【請求項１】
キー操作部（３１）に銘板（３５）が固定可能なリモートコントローラ（１０）において、コンピュータ（５０）によってリモートコントローラ（１０）のプリセットデータとキー標識レイアウト画像データを作成するステップと、作成したプリセットデータをリモートコントローラ（１０）の記憶部（２５）へ転送するステップと、作成したキー標識レイアウト画像データを印刷部（５９）へ出力して銘板（３５）にキー標識レイアウト画像を印刷するステップとからなることを特徴とするリモートコントローラのプリセット方法。
【請求項２】
メンブレンシートによってキー操作部（３１）が形成可能なリモートコントローラ（１０）において、コンピュータ（５０）によってリモートコントローラ（１０）のプリセットデータとキー標識レイアウト画像データを作成するステップと、作成したプリセットデータをリモートコントローラ（１０）の記憶部（２５）へ転送するステップと、作成したキー標識レイアウト画像データを印刷部（５９）へ出力して前記メンブレンシートにキー標識レイアウト画像を印刷するステップとからなることを特徴とするリモートコントローラのプリセット方法。
【請求項３】
コンピュータ（５０）によるプリセットデータとキー標識レイアウト画像データの作成ステップは、記憶部（６３）に予め記録されたキーレイアウト画像データを読み出して表示部（５７）へ出力し、キーレイアウト画像を表示するステップと、表示したキーレイアウト画像の中から所望のキーを選択するステップと、記憶部（６３）に予め記録された複数の被制御機器についてのリモコンデータとキー標識画像データの中から所望のリモコンデータとキー標識画像データを選択するステップと、選択したリモコンデータを前記キー選択ステップで選択したキーと対応づけプリセットデータとして記録するステップと、選択したキー標識画像データを前記キー選択ステップで選択したキーに割り付けキー標識レイアウト画像データとして記録するステップとからなることを特徴とする請求項１又は２記載のリモートコントローラのプリセット方法。
【請求項４】
コンピュータ（５０）によるプリセットデータとキー標識レイアウト画像データの作成ステップは、記憶部（６３）に予め記録されたキーレイアウト画像データを読み出して表示部（５７）へ出力し、キーレイアウト画像を表示するステップと、表示したキーレイアウト画像の中から所望のキーを選択するステップと、他のリモートコントローラ（１０）からリモコンデータを取得するステップと、取得したリモコンデータを前記キー選択ステップで選択したキーと対応づけプリセットデータとして記録するステップと、入力部（５３，５５）からキー標識画像データを取得するステップと、取得したキー標識画像データを前記キー選択ステップで選択したキーに割り付けキー標識レイアウト画像データとして記録するステップとからなることを特徴とする請求項１又は２記載リモートコントローラのプリセット方法。
【請求項５】
コンピュータ（５０）によるプリセットデータとキー標識レイアウト画像データの作成ステップは、記憶部（６３）に予め記録されたキーレイアウト画像データを読み出して表示部（５７）へ出力し、キーレイアウト画像を表示するステップと、表示したキーレイアウト画像の中から所望のキーを選択するステップと、記憶部（６３）に予め記録された複数の被制御機器についてのリモコンデータとキー標識画像データの中に所望のリモコンデータとキー標識画像データが有るか否かを判別するステップと、所望のリモコンデータとキー標識画像データが有ると判別されたときに、そのリモコンデータを前記キー選択ステップで選択したキーと対応づけプリセットデータとして記録するとともに、そのキー標識画像データを前記キー選択ステップで選択したキーに割り付けキー標識レイアウト画像データとして記録するステップと、所望のリモコンデータとキー標識画像データが無いと判別されたときに、他のリモートコントローラ（１０）から取得したリモコンデータを前記キー選択ステップで選択したキーと対応づけプリセットデータとして記録するとともに、入力部（５３，５５）から取得したキー標識画像データを前記キー選択ステップで選択したキーに割り付けキー標識レイアウト画像データとして記録するステップとからなることを特徴とする請求項１又は２記載のリモートコントローラのプリセット方法。    
【請求項６】
コンピュータ（５０）によるプリセットデータとキー標識レイアウト画像データの作成ステップは、記憶部（６３）に予め記録されたキーレイアウト画像データを読み出して表示部（５７）へ出力し、キーレイアウト画像を表示するステップと、表示したキーレイアウト画像の中から所望のキーを選択するステップと、インターネットを介してリモコンデータとキー標識画像データの提供サイトからリモコンデータとキー標識画像データを取得するステップと、取得したリモコンデータを前記キー選択ステップで選択したキーと対応づけプリセットデータとして記録するステップと、取得したキー標識画像データを前記キー選択ステップで選択したキーに割り付けキー標識レイアウト画像データとして記録するステップとからなることを特徴とする請求項１又は２記載のリモートコントローラのプリセット方法。
【請求項７】
記憶部（６３）はＲＯＭカートリッジからなることを特徴とする請求項３、４、５又は６記載のリモートコントローラのプリセット方法。
【発明の詳細な説明】
【技術分野】
【０００１】
本発明は、１個のリモートコントローラで複数の被制御機器を遠隔制御できるように設定するためのリモートコントローラのプリセット方法に関するものである。
【背景技術】
【０００２】
１個のリモートコントローラでＴＶ（テレビジョン受像機）、ＶＴＲ（ビデオテープレコーダ）、ＤＶＤ（デジタルバーサタイルディスクプレーヤ）等の被制御機器を遠隔制御するものに、プリセット型と学習型のリモートコントローラ（以下単にリモコンという）がある。
【０００３】
プリセット型のリモコンは、ＴＶ用キー、ＶＴＲ用キー、ＤＶＤ用キー等の多数のキーを有するとともに、予め複数のメーカーのＴＶ用、ＶＴＲ用、ＤＶＤ用等のリモコンデータを記録するメモリ群を有し、例えば特定のメーカーを選択するキーや機種に対応したキーを押すことによって、特定メーカーの特定機種のメモリ群（例えばＡメーカのＴＶ用メモリ群）を選択し、キー操作に応じてリモコンデータを送信していた。
ここで、リモコンデータは、キー操作部のキーによって送信される制御データと送信フォーマットを含むデータを表わす。
【０００４】
学習型のリモコン１００は、図９に示すように構成され、異なる機器の遠隔制御に用いられるリモコンＡ、Ｂ、Ｃからのリモコンデータを記憶して再送信するものである。
例えば、リモコンＡのリモコンデータを記憶するときには、図１０に示すように、リモコンＡの送信側をリモコン１００の受信側と対向配置し、モード切換スイッチ１０７を学習側にセットし、記憶させようとするリモコンデータを送信するリモコンＡのキーＫａ１を押圧すると同時に、リモコン１００のキーマトリックス１０５から任意に選んだキーＫ１を押圧して、リモコンデータをキーＫ１に対応付けてＲＡＭ１０６の所定メモリ領域に記憶する。
【０００５】
すなわち、モード切換スイッチ１０７を学習側にセットして学習モードとし、リモコンＡのキーＫａ１を押圧して送信される信号（リモコンデータを含む）がフォトダイオード１０１で受信され、増幅及び波形整形部１０２を介して復調部１０３に入力する。復調部１０３は入力信号からリモコンデータを復調してマイクロプロセッサ１０４へ出力し、キーマトリックス１０５の押圧キーＫ１に対応したＲＡＭ１０６の所定メモリ領域に記憶する。ＲＯＭ１０８にはマイクロプロセッサ１０４を動作させるプログラム等が記憶される。
前述のような学習操作を終えた後、モード切換スイッチ１０７を送信側にセットして送信モードとし、キーマトリックス１０５のキーＫ１を押圧すると、キーマトリックス１０５からマイクロプロセッサ１０４へキーＫ１のキーコードが出力し、マイクロプロセッサ１０４はＲＡＭ１０６からリモコンデータを読み出して出力回路１０９へ出力し、このリモコンデータをもとに出力回路１０９で生成した送信データで駆動トランジスタ１１０を駆動し、発光ダイオード１１１からリモコンデータ（リモコンＡのキーＫａ１に対応したリモコンデータと同一のデータ）を含む遠隔制御信号を送信する。
【０００６】
図９に示した学習型のリモコン１００では、学習しようとするリモコンＡ、Ｂ、Ｃの全てに対応するキーを操作面に配置する必要があり、デザイン上の制約や操作性が悪いという問題点があった。
また、被制御機器のカテゴリーやメーカーによって記憶させるリモコンデータの内容と種類が異なり、予めこれらのリモコンデータに合わせてリモコン１００のキー数及びそのレイアウト（配列）を定めることができないため、各キーとそのキーを押圧したときの制御内容が不明瞭になるという問題点があった。
【０００７】
本出願人は、前述の学習型のリモコンの問題点を解決するため、図１１及び図１２に示すような学習型のリモコン２００を既に提案している（特許文献１参照）。
【０００８】
学習型のリモコン２００は、図１１に示すように、図９中の対応する要素と略同様に構成されたフォトダイオード１０１、増幅及び波形整形部１０２、復調部１０３、キーマトリックス１０５、ＲＡＭ１０６、モード切換スイッチ１０７、出力回路１０９、駆動トランジスタ１１０及び発光ダイオード１１１の他に、透明タッチパネル２０１、マイクロプロセッサ２０３、タイミング信号発生回路２０４、キー出力回路２０５、キー入力回路２０６、キーコードデコーダ２０７、ＬＣＤ２０８、ＬＣＤドライバ２０９及びＲＯＭ２１０を有する。
そして、モード切換スイッチ１０７を学習側にセットした学習モードにおいては、受信した遠隔制御信号から復調したリモコンデータと複数種のアイコンから選択したアイコンを、それぞれ所望の操作エリアに対応づけてＲＡＭ１０６に記憶し、モード切換スイッチ１０７を送信側にセットした送信モードにおいては、操作エリアにアイコンが対応づけて記憶されているときには、このアイコンで操作エリアを表示するとともに、操作エリアにリモコンデータが対応づけて記憶されているときには、この操作エリアを押圧することによって対応するリモコンデータを含む遠隔制御信号を被制御機器へ送信することができる。
【０００９】
このため、送信モードにおいて、操作エリアを押圧したときの制御内容が、選択したアイコンにより表示され、容易に遠隔制御を行うことができる。
例えば被制御機器をＶＴＲとした送信モードでは、図１２に示すように、ＬＣＤ２０８のカテゴリー表示画面には「ＶＴＲ」のアイコンが表示され、ＬＣＤ２０８のその他の表示画面にはＶＴＲの操作に必要な制御内容「巻き戻し」、「再生」、「早送り」、・・・を示すアイコンが表示される。
また、図示を省略したが、被制御機器をＣＤプレーヤとした送信モードでは、ＬＣＤ２０８のカテゴリー表示画面には「ＣＤ」のアイコンが表示され、ＬＣＤ２０８のその他の表示画面にはＣＤの操作に必要な制御内容を示すアイコンが表示される。このため、押圧キーと制御内容が明瞭になる。
【特許文献１】特開１１−１２２６８２号公報。
【発明の開示】
【発明が解決しようとする課題】
【００１０】
しかしながら、図１１及び図１２に示した例では、透明タッチパネル２０１、ＬＣＤ２０８、ＬＣＤドライバ２０９等が必要となるので、高価になるという問題点があった。
【００１１】
本発明は上述の問題点を鑑みなされたもので、キー標識のレイアウトとプリセットデータをユーザーが自由に設定できるとともに、コストダウンを図ることができるリモコンのプリセット方法を提案することを目的とするものである。
ここで、キー標識とは、キーの制御内容を示す文字、記号、図形、若しくはこれを結合したものを表わす。  
【課題を解決するための手段】
【００１２】
請求項１記載の発明は、キー操作部に銘板が固着可能なリモコンのプリセット方法において、コンピュータによって前記リモコンのプリセットデータとキー標識レイアウト画像データを作成するステップと、作成したプリセットデータを前記リモコンの記憶部へ転送するステップと、作成したキー標識レイアウト画像データを印刷部へ出力して前記銘板にキー標識レイアウト画像を印刷するステップとからなることを特徴とする。
【００１３】
請求項２記載の発明は、メンブレンシートによってキー操作部が形成可能なリモコンのプリセット方法において、コンピュータによって前記リモコンのプリセットデータとキー標識レイアウト画像データを作成するステップと、作成したプリセットデータを前記リモコンの記憶部へ転送するステップと、作成したキー標識レイアウト画像データを印刷部へ出力し、前記メンブレンシートにキー標識レイアウト画像を印刷するステップとからなることを特徴とする。
【００１４】
請求項３記載の発明は、請求項１又は２記載の発明において、コンピュータによるプリセットデータとキー標識レイアウト画像データの作成ステップは、記憶部に予め記録されたキーレイアウト画像データを読み出して表示部へ出力し、キーレイアウト画像を表示するステップと、表示したキーレイアウト画像の中から所望のキーを選択するステップと、記憶部に予め記録された複数の被制御機器についてのリモコンデータとキー標識画像データの中から所望のリモコンデータとキー標識画像データを選択するステップと、選択したリモコンデータを前記キー選択ステップで選択したキーと対応づけプリセットデータとして記録するステップと、選択したキー標識画像データを前記キー選択ステップで選択したキーに割り付けキー標識レイアウト画像データとして記録するステップとからなることを特徴とする。
【００１５】
請求項４記載の発明は、請求項１又は２記載の発明において、コンピュータによるプリセットデータとキー標識レイアウト画像データの作成ステップは、記憶部に予め記録されたキーレイアウト画像データを読み出して表示部へ出力し、キーレイアウト画像を表示するステップと、表示したキーレイアウト画像の中から所望のキーを選択するステップと、他のリモコンからリモコンデータを取得するステップと、取得したリモコンデータを前記キー選択ステップで選択したキーと対応づけプリセットデータとして記録するステップと、入力部からキー標識画像データを取得するステップと、取得したキー標識画像データを前記キー選択ステップで選択したキーに割り付けキー標識レイアウト画像データとして記録するステップとからなることを特徴とする。
【００１６】
請求項５記載の発明は、請求項１又は２記載の発明において、コンピュータによるプリセットデータとキー標識レイアウト画像データの作成ステップは、記憶部に予め記録されたキーレイアウト画像データを読み出して表示部へ出力し、キーレイアウト画像を表示するステップと、表示したキーレイアウト画像の中から所望のキーを選択するステップと、記憶部に予め記録された複数の被制御機器についてのリモコンデータとキー標識画像データの中に所望のリモコンデータとキー標識画像データが有るか否かを判別するステップと、所望のリモコンデータとキー標識画像データが有ると判別されたときに、そのリモコンデータを前記キー選択ステップで選択したキーと対応づけプリセットデータとして記録するとともに、そのキー標識画像データを前記キー選択ステップで選択したキーに割り付けキー標識レイアウト画像データとして記録するステップと、所望のリモコンデータとキー標識画像データが無いと判別されたときに、他のリモコンから取得したリモコンデータを前記キー選択ステップで選択したキーと対応づけプリセットデータとして記録するとともに、入力部から取得したキー標識画像データを前記キー選択ステップで選択したキーに割り付けキー標識レイアウト画像データとして記録するステップとからなることを特徴とする。
【００１７】
請求項６記載の発明は、請求項１又は２記載の発明において、コンピュータによるプリセットデータとキー標識レイアウト画像データの作成ステップは、記憶部に予め記録されたキーレイアウト画像データを読み出して表示部へ出力し、キーレイアウト画像を表示するステップと、表示したキーレイアウト画像の中から所望のキーを選択するステップと、インターネットを介してリモコンデータとキー標識画像データの提供サイトからリモコンデータとキー標識画像データを取得するステップと、取得したリモコンデータを前記キー選択ステップで選択したキーと対応づけプリセットデータとして記録するステップと、取得したキー標識画像データを前記キー選択ステップで選択したキーに割り付けキー標識レイアウト画像データとして記録するステップとからなること特徴とする。
【００１８】
請求項７記載の発明は、請求項３、４、５又は６記載の発明において、記憶部がＲＯＭカートリッジであること特徴とする。
【発明の効果】
【００１９】
請求項１記載の発明は、リモコンのプリセット方法において、コンピュータによってプリセットデータを作成しリモコンの記憶部に設定するとともに、コンピュータによってリモコンのキー標識レイアウト画像データを作成し銘板にキー標識レイアウト画像を印刷し、この銘板をキー操作部に固着可能な構成としたので、ユーザーが汎用のコンピュータ（例えばパソコン）を用いて、リモコンのキー標識のレイアウトとプリセットデータを自由に設定でき、安価にリモコンの使い勝手を向上させることができる。
【００２０】
請求項２記載の発明は、リモコンのプリセット方法において、コンピュータによってプリセットデータを作成してリモコンの記憶部に設定するとともに、コンピュータによってリモコンのキー標識レイアウト画像データを作成し、このキー標識レイアウト画像をメンブレンシートに印刷し、このメンブレンシートを用いてキー操作部を形成可能な構成としたので、ユーザーが汎用のコンピュータ（例えばパソコン）を用いて、リモコンのキー標識のレイアウトとプリセットデータを自由に設定でき、安価にリモコンの使い勝手を向上させることができる。
【００２１】
請求項３記載の発明は、請求項１又は２記載の発明において、コンピュータによるプリセットデータとキー標識レイアウト画像データの作成が、キーレイアウト画像を表示部で表示してその中から所望のキーを選択し、記憶部に予め記録された複数の被制御機器についてのリモコンデータとキー標識画像データの中から所望のリモコンデータとキー標識画像データを選択し、選択したリモコンデータを選択したキーと対応づけプリセットデータとして記録するとともに、選択したキー標識画像データを選択したキーに割り付けキー標識レイアウト画像データとして記録する構成としたので、プリセットデータとキー標識レイアウト画像データの作成を容易にすることができる。
【００２２】
請求項４記載の発明は、請求項１又は２記載の発明において、コンピュータによるプリセットデータとキー標識レイアウト画像データの作成が、キーレイアウト画像を表示部で表示してその中から所望のキーを選択し、他のリモコンから取得したリモコンデータを選択したキーと対応づけプリセットデータとして記録するとともに、入力部から取得したキー標識画像データを選択したキーに割り付けキー標識レイアウト画像データとして記録する構成としたので、他のリモコンに設定されたリモコンデータを対象とするリモコンのプリセットデータに利用することができる。
【００２３】
請求項５記載の発明は、請求項１又は２記載の発明において、コンピュータによるプリセットデータとキー標識レイアウト画像データの作成が、キーレイアウト画像を表示部で表示してその中から所望のキーを選択し、記憶部に予め記録された複数の被制御機器についてのリモコンデータとキー標識画像データの中に所望のリモコンデータとキー標識画像データが有るか否かを判別し、所望のリモコンデータとキー標識画像データが有ると判別されたときに、そのリモコンデータを選択したキーと対応づけプリセットデータとして記録するとともに、そのキー標識画像データを選択したキーに割り付けキー標識レイアウト画像データとして記録し、所望のリモコンデータとキー標識画像データが無いと判別されたときに、他のリモコンから取得したリモコンデータを選択したキーと対応づけプリセットデータとして記録するとともに、入力部から取得したキー標識画像データを選択したキーに割り付けキー標識レイアウト画像データとして記録する構成としたので、記憶部と他のリモコンのいずれかに希望するリモコンデータとキー標識画像データがあれば、このリモコンデータとキー標識画像データを用いてプリセットデータとキー標識レイアウト画像データを作成することができる。
【００２４】
請求項６記載の発明は、請求項１又は２記載の発明において、コンピュータによるプリセットデータとキー標識レイアウト画像データの作成が、キーレイアウト画像を表示部で表示してその中から所望のキーを選択し、インターネットを介してリモコンデータとキー標識画像データの提供サイトからリモコンデータとキー標識画像データを取得し、取得したリモコンデータを選択したキーと対応づけプリセットデータとして記録し、取得したキー標識画像データを選択したキーに割り付けキー標識レイアウト画像データとして記録する構成としたので、インターネットで収集したリモコンデータとキー標識画像データを用いてプリセットデータとキー標識レイアウト画像データを作成することができる。 
【００２５】
請求項７記載の発明は、請求項３、４、５又は６記載の発明において、記憶部をＲＯＭカートリッジで構成したので、プログラムやデータの変更、追加を容易に行うことができる。
【実施例】
【００２６】
図１は本発明の一実施例を示すもので、１０はＴＶ受像機、ＶＴＲ、レーザーディスク等の複数の被制御機器を遠隔制御するリモコン、５０はコンピュータの一例としてのパーソナルコンピュータ（以下パソコンという）である。
リモコン１０にはＵＳＢポート１１が設けられ、このＵＳＢポート１１は通信ケーブル４０を介してパソコン５０のＵＳＢポート５１に接続されている。
【００２７】
リモコン１０は、学習モード等において他のリモコンからの赤外線信号を受信する受信部１３と、受信部１３の受信信号を増幅及び波形整形して出力する増幅及び波形整形部１５と、増幅及び波形整形部１５の出力信号からリモコンデータを復調する復調部１７と、入力部としてのキーマトリックス１９と、装置全体を制御するマイクロプロセッサ２１と、マイクロプロセッサ２１を動作させるためのプログラム及びデータが予め記憶されているＲＯＭ２３と、マイクロプロセッサ２１によって実行されるプログラムのワークエリアを有し、可変データ等を記憶するＲＡＭ２５と、マイクロプロセッサ２１からのリモコンデータをもとに送信信号を生成する出力回路２７と、出力回路２７で生成した送信信号に基づき遠隔制御信号（赤外線信号）を送信する送信部２９とを具備している。
受信部１３はフォトダイオードと抵抗で形成され、送信部２９は駆動トランジスタ、発光ダイオード及び抵抗で形成されている。  
【００２８】
パソコン５０は、入力部としてのキーボード５３及びマウス５５と、出力部としてのディスプレ５７及びプリンタ５９と、装置全体を制御するマイクロプロセッサ６１と、マイクロプロセッサ６１を動作させるためのプログラムや複数の被制御機器についての機器名等の画像データ、リモコンデータ、キー標識画像データ、キーレイアウト画像データ等のデータが予め記憶されたＲＯＭ６３と、ＲＯＭ６３によって実行されるプログラムのワークエリアを有し、可変データ等を記憶するＲＡＭ６５とを具備している。
ＲＯＭ６３は、パソコン５０に固定的に取り付けられた不揮発性メモリや着脱可能なＲＯＭカートリッジ等で構成され、ＲＯＭカートリッジのときには、前記のプログラムやデータの変更、追加が容易になる。
前記の機器名等の画像データは、ＴＶ、ＶＴＲ等の機器名とその製造メーカー名と型名を表すデータをいう。
【００２９】
リモコン１０のマイクロプロセッサ２１は、少なくともつぎの（１）〜（３）に示すような機能を有する。
（１）パソコン５０からＵＳＢポート５１、通信ケーブル４０及びＵＳＢポート１１を介して入力した学習指令信号に基づいて学習モードとなり、他のリモコンから取得し復調部１７で復調したリモコンデータをＵＳＢポート１１、通信ケーブル４０及びＵＳＢポート５１を介してパソコン５０のマイクロプロセッサ６１へ転送する。
（２）パソコン５０からＵＳＢポート５１、通信ケーブル４０及びＵＳＢポート１１を介して入力したプリセット指令信号に基づいて、この指令信号に続いてパソコン５０側から入力するプリセットデータをＲＡＭ２５に記憶する。プリセットデータはリモコンデータをキーに対応づけたデータを表わす。
（３）キーボード５３のキー入力によるキーコードの入力に基づいて、ＲＡＭ２５から対応するリモコンデータを読み出し、出力回路２７へ出力して送信部２９から対応する遠隔制御信号を送信させる。
【００３０】
パソコン５０のマイクロプロセッサ６１は、少なくともつぎの（１）〜（９）に示すような機能を有する。
（１）キーボード５３、マウス５５から入力するキーレイアウト表示指令に基づいて、ＲＯＭ６３の所定メモリ領域からキーレイアウト画像データを読み出し、ディスプレ５７へ出力してキーレイアウト画像を表示させる機能。
（２）キーボード５３、マウス５５から入力するキー選択指令に基づいて、前記（１）で表示された複数のキーのうちの１つのキーを選択し、対応するキーコードをＲＡＭ６５に記録する機能。
（３）キーボード５３、マウス５５から入力する機器名等の表示指令に基づいて、ＲＯＭ６３から機器名等の画像データを読み出し、ディスプレ５７へ出力して対応する機器名等を表示させる機能。  
（４）キーボード５３、マウス５５から入力する機器の選択指令に基づいて、前記（３）で表示された複数の機器名等の中に希望する機器名等が有るか否かを判別する機能。
（５）前記（４）で希望する機器名等が有ると判別されたときに  前記（４）の選択指令で選択された機器の複数のキー標識画像データをＲＯＭ６３から読み出し、ディスプレ５７へ出力して複数のキー標識を表示させる機能。
（６）前記（５）に続いてキーボード５３、マウス５５から入力するキー標識の選択指令に基づいて、前記（５）で表示された複数のキー標識のうちの１つを選択し、ＲＯＭ６３から対応するリモコンデータを読み出し、前記（２）で選択されたキーに対応するキーコードに対応づけプリセットデータとしてＲＡＭ６５の所定メモリ領域に記録するとともに、対応するキー標識画像データを、前記（２）で選択されたキーに対応するキーコードに割り付けキー標識レイアウト画像データとしてＲＡＭ６５の所定メモリ領域に記録する機能。
（７）前記（４）で希望する機器名等が無いと判別されたときに、キーボード５３、マウス５５から入力する学習指令に基づいて、ＵＳＢポート５１、通信ケーブル４０及びＵＳＢポート１１を介してリモコン１０へ学習指令信号を出力してリモコン１０を学習モードにさせる機能。
（８）前記（７）の学習指令信号出力に続いてリモコン１０から転送されてくるリモコンデータを取得し、前記（２）で選択されたキーに対応づけプリセットデータとしてＲＡＭ６５の所定メモリ領域に記録する機能。
（９）前記（７）の学習指令信号出力に続いてキーボード５３、マウス５５から入力するキー標識画像データを取得し、前記（２）で選択されたキーに割り付けキー標識レイアウト画像データとしＲＡＭ６５の所定メモリ領域に記録する機能。
【００３１】
つぎに前記実施例の作用を図２〜図８を併用して説明する。
説明の便宜上、銘板３５を固着する前のリモコン１０のキー操作部３１には、図３に示すように、Ｋ１〜Ｋ９までの９ヶのキーが３行３列で上段に配置され、Ｋ１０〜Ｋ１８までの９ヶのキーが３行３列で下段に配置されているものとし、ユーザーが図８に示すように、上段のキーＫ１〜Ｋ９については、被制御機器を「Ａ社製ａａ型ＴＶ」とするともにキー標識を「電源」〜「１２」とし、下段のキーＫ１０〜Ｋ１８については、被制御機器を「Ｃ社製ｃｃ型ＶＴＲ」とするとともにキー標識を「電源」〜「録画」とすることを希望したものとする。
【００３２】
（１）キーボード５３、マウス５５からマイクロプロセッサ６１へキーレイアウト表示指令が与えられると、マイクロプロセッサ６１はＲＯＭ６３からキーレイアウト画像データを読み出してディスプレ５７へ出力し、ディスプレ５７には、図３に示したリモコン１０のキーＫ１〜Ｋ１８の配置を表すキーレイアウト画像が表示される（Ｓ１）。
【００３３】
（２）ついで、キーボード５３、マウス５５からマイクロプロセッサ６１へキーＫ１を選択する指令が与えられると、マイクロプロセッサ６１は前記（１）で表示されたキーＫ１〜Ｋ１８のうちからキーＫ１を選択し、対応するキーコードをＲＡＭ６５の所定メモリ領域に記録する（Ｓ２）。
【００３４】
（３）ついで、キーボード５３、マウス５５からマイクロプロセッサ６１へ機器名等の表示指令が与えられると、マイクロプロセッサ６１はＲＯＭ６３から機器名等の画像データを読み出してディスプレ５７へ出力し、図４に示すような複数の被制御機器についての機種種別（ＴＶ、ＶＴＲ等）、製造メーカー名（Ａ社、Ｂ社、Ｃ社等）、型名（ａａ型、ｂｂ型、ｃｃ型等）が表示される（Ｓ３）。
【００３５】
（４）ついで、キーボード５３、マウス５５からマイクロプロセッサ６１へ前記（３）で表示された複数の被制御機器のうちの特定の機器「Ａ社製ａａ型ＴＶ」を選択する指令が与えられると、マイクロプロセッサ６１は「希望する機器名等有か？」をＹＥＳと判断し（Ｓ４）、選択した機器の複数のキー標識画像データをＲＯＭ６３から読み出してディスプレ５７へ出力し、図５に示すような「ＴＶ Ａ社製 ａａ型」と対応する複数のキー標識「電源」、「音量」、「＋」、・・・が表示される（Ｓ５）。
【００３６】
（５）ついで、キーボード５３、マウス５５からマイクロプロセッサ６１へ特定のキー標識「電源」を選択する指令が与えられると（Ｓ６）、マイクロプロセッサ６１はＲＯＭ６３からＡ社製ａａ型ＴＶの電源のオン、オフを制御するリモコンデータを読み出し、前記（２）で選択したキーＫ１のキーコードに対応づけてプリセットデータとしてＲＡＭ６５の所定メモリ領域に記録する（Ｓ７）とともに、対応するキー標識画像データを前記（２）で選択したキーＫ１の上側に割り付けキー標識レイアウト画像データとしてＲＡＭ６５の所定メモリ領域に記録する（Ｓ８）。
【００３７】
（６）同様にして、「Ａ社製ａａ型ＴＶ」の音量のステップアップ、ステップダウンを制御するリモコンデータをキーＫ２、Ｋ３のキーコードに対応づけプリセットデータとしてＲＡＭ６５の所定メモリ領域に記録し、キー標識「＋」、「−」及び「音量」をキーＫ２、Ｋ３の上側及びキーＫ２とＫ３の間に割り付けて印刷するためのデータを、キー標識レイアウト画像データとしてＲＡＭ６５の所定メモリ領域に記録する（Ｓ１〜Ｓ８）。
【００３８】
（７）以下同様にして、「Ａ社製ａａ型ＴＶ」のチャンネル「１２」の選択を制御する制御データを含むリモコンデータがキーＫ９に対応づけプリセットデータとしてＲＡＭ６５の所定メモリ領域に記録されるとともに、キー標識「１２」がキーＫ９の上側の位置に割り付けられてキー標識レイアウト画像データとしてＲＡＭ６５の所定メモリ領域に記録される。
【００３９】
（８）ついで、キーＫ１０〜Ｋ１８が被制御機器を「Ｃ社製ｃｃ型のＶＴＲ」とするともにキー標識を｛電源」〜「録画」とする設定が、前記（１）〜（７）と同様にして行われる。
例えば、前記（３）で表示された複数の被制御機器のうちの「Ｃ社製ｃｃ型ＶＴＲ」を選択する指令がマイクロプロセッサ６１に与えられると、マイクロプロセッサ６１は「希望する機器名等有か？」をＹＥＳと判断し（Ｓ４）、選択した機器の複数のキー標識画像データをＲＯＭ６３から読み出してディスプレ５７へ出力し、図６に示すような「ＶＴＲ Ｃ社製 ｃｃ型」と対応する複数のキー標識「電源」、「音量」、「＋」、・・・が表示される（Ｓ５）。
そして、ＶＴＲの電源のオン、オフを制御する制御データを含むリモコンデータがキー１０に対応づけてプリセットデータとしてＲＡＭ６５の所定メモリ領域に記録され、キー標識「電源」がキーＫ１０の上側の所定位置に割り付けられたキー標識レイアウト画像データとしてＲＡＭ６５の所定メモリ領域に記録される（Ｓ７、Ｓ８）。
また、「Ｃ社製ｃｃ型ＶＴＲ」の「録画」を制御する制御データを含むリモコンデータがキーＫ１８に対応づけたプリセットデータとしてＲＡＭ６５の所定メモリ領域に記録され、キー標識「録画」がキーＫ１８の上側の所定位置に割り付けられたキー標識レイアウト画像データとしてＲＡＭ６５の所定メモリ領域に記録される（Ｓ７、Ｓ８）。
【００４０】
（９）以上により、リモコン１０の希望するキーＫ１〜Ｋ１８の選択が終了し、キーボード５３、マウス５５からマイクロプロセッサ６１へ設定終了指令が与えられると、マイクロプロセッサ６１により「キー選択終了か？」が「ＹＥＳ］」と判断され（Ｓ９）、マイクロプロセッサ６１はＲＡＭ６５に記録されたプリセットデータをＵＳＢポート５１、通信ケーブル４０及びＵＳＢポート１１を介してリモコン１０のマイクロプロセッサ２１に転送（Ｓ１０）してＲＡＭ２５に記録させるとともに、ＲＡＭ６５に記録されたキー標識レイアウト画像データをプリンタ５９へ出力し、銘板３５に図７に示すようなキー標識レイアウト画像を印刷する（Ｓ１１）。
図７において、３７〜３７は、リモコン１０のキーＫ１〜Ｋ１８を挿通させる透孔を表わし、キー標識以外の標識「ＴＶ」、「ＶＴＲ」、それらの周囲の標識「長円状の枠」に対応するデータは、付加情報としてキーボード５３、マウス５５等からマイクロプロセッサ６１に与えられ、ＲＡＭ６５に記録されるキー標識レイアウト画像データに付加されている。
【００４１】
（１０）前記（９）でキー標識レイアウト画像が印刷された銘板３５は、図８に示すようにリモコン１０のキー操作部３１に貼着される。
【００４２】
（１１）前記（３）でディスプレイ５７に表示された中に希望する機器名等とキー標識が無い場合（Ｓ４でＮＯ）には、学習モードでプリセットデータとキー標識レイアウト画像データが取得される。
すなわち、図９，図１０に示した従来例と同様に、希望するリモコンデータを格納している他のリモコン（例えばリモコンＡ）の送信側をリモコン１０の受信側と対向するように配置し、他のリモコンのキーのうちの、希望するリモコンデータを送信するキー（例えばキーＫａ１）を押圧すると同時に、キーボード５３、マウス５５からマイクロプロセッサ６１へ学習指令を与え（具体的には、図４で「その他」を選択し）、マイクロプロセッサ６１がＵＳＢポート５１、通信ケーブル４０及びＵＳＢポート１１を介してマイクロプロセッサ２１へ学習指令信号を送出する（Ｓ１２）。
すると、他のリモコンから出力する遠隔制御信号が受信部１３のフォトダイオードで受信され、増幅及び波形整形部１５で増幅及び波形整形された後、復調部１７でリモコンデータに復調されマイクロプロセッサ２１に入力する。マイクロプロセッサ２１は、復調部１７で復調したリモコンデータをＵＳＢポート１１、通信ケーブル４０及びＵＳＢポート５１を介してマイクロプロセッサ６１へ転送する。
【００４３】
（１２）キーボード５３、マウス５５等からマイクロプロセッサ６１へ学習指令を与えられた後、前記（１１）によりマイクロプロセッサ２１からリモコンデータが転送されると、マイクロプロセッサ２１は、このリモコンデータを前記（１）で選択したキーに対応づけてプリセットデータとしてＲＡＭ６５の所定メモリ領域に記録する（Ｓ１３）。
【００４４】
（１３）ついで、キーボード５３、マウス５５等からマイクロプロセッサ６１へキー標識画像データが入力すると、マイクロプロセッサ６１は対応するキー標識画像データを取得し、前記（１）で選択したキーに割り付けてキー標識レイアウト画像データとしてＲＡＭ６５の所定メモリ領域に記録する（Ｓ１４）。
【００４５】
（１４）以下、マイクロプロセッサ６１により「キー選択終了か？」が「ＹＥＳ］」と判断される（Ｓ９）まで、前記（１）〜（３）、前記（１１）〜（１３）と同様の作用が繰り返され、「キー選択終了か？」が「ＹＥＳ］」と判断されると、前記（９）と同様にして、マイクロプロセッサ６１はＲＡＭ６５に記録されたプリセットデータをＵＳＢポート５１、通信ケーブル４０及びＵＳＢポート１１を介してリモコン１０のマイクロプロセッサ２１に転送（Ｓ１０）してＲＡＭ２５に記録させるとともに、ＲＡＭ６５に記録されたキー標識レイアウト画像データをプリンタ５９へ出力し、銘板３５にキー標識レイアウト画像を印刷する（Ｓ１１）。
【００４６】
前記実施例では、図８に示すように、リモコン１０のキーＫ１〜Ｋ１８が３列６行の１８ヶ、上段のキーＫ１〜Ｋ９がＴＶ用、下段のキーＫ１０〜Ｋ１８がＶＴＲ用、キーＫ１〜Ｋ９がキー標識「電源」〜「１２」、キーＫ１０〜Ｋ１８がキー標識「電源」〜「録画」の場合について説明したが、本発明はこれに限らないこと勿論である。
例えば、上段のキーＫ１〜Ｋ９をＴＶ用以外（例えばＶＴＲ用）とし、下段のキーＫ１０〜Ｋ１８をＶＴＲ用以外（例えばＴＶ用）とし、キーＫ１、Ｋ１０を「電源」以外のキー標識（例えば「再生」、「１」）とした場合や、キー配列が３列６行以外の場合（例えば４列８行の場合やポインティングデバイスを含む場合）についても利用することができる。
【００４７】
前記実施例では、コンピュータによるプリセットデータとキー標識レイアウト画像データの作成ステップが、記憶部に予め希望する被制御機器のリモコンデータとキー標識画像データが有るか否かを判別し、記憶部に有る場合にはこれらのデータを利用し、記憶部に無い場合には学習モードで他のリモコンから取得したリモコンデータとキー標識画像データを利用した場合について説明したが、本発明はこれに限るものではない。
例えば、記憶部に予め希望する被制御機器のリモコンデータとキー標識画像データが有る場合についてだけ利用する場合、学習モードで他のリモコンから取得したリモコンデータとキー標識画像データだけを利用する場合、又は、インターネットを介して複数の被制御機器についてのリモコンデータとキー標識画像データを提供するサイトから、希望する被制御機器のリモコンデータとキー標識画像データを取得し、このリモコンデータを選択キーに対応づけてプリセットデータとし、キー標識画像データを選択キーに割り付けキー標識レイアウト画像データとした場合についても利用することができる。
【００４８】
前記実施例では、プリセットデータとキー標識レイアウト画像データの作成を容易にするために、コンピュータによるプリセットデータとキー標識レイアウト画像データの作成ステップが、記憶部に予め記録されたキーレイアウト画像データを読み出して表示部へ出力し、キーレイアウト画像を表示するステップを含むように構成したが、このキーレイアウト画像を表示するステップを省略した場合についても利用することができる。
この場合、対象とするリモコンの実物又は図面に基づいて各キーの位置を確認しつつ、プリセットデータとキー標識レイアウト画像データの作成をすることになろう。     
【００４９】
前記実施例では、リモコンのキー操作部に固定する銘板が複数のキーの全てに対応する１枚のシートで形成された場合について説明したが、本発明はこれ限るものでなく、複数のキーを複数のブロックに区分し、各ブロック毎に対応する複数枚のシートで形成された場合や、各キー毎に対応してキートップ面に収容又は貼着で固定される個別シートで形成された場合についても利用することができる。    
【００５０】
前記実施例では、プリセットデータの作成とキー標識レイアウト画像データの作成を並列的に行うようにしたが、本発明はこれに限るものでなく、一方の作成が終了してから他方の作成を始めるようにした場合についても利用することができる。
例えば、コンピュータによってキー標識レイアウト画像データの作成が終わり銘板に印刷した後に、各キーについてのリモコンデータを含むプリセットデータを作成するようにした場合についても利用することができる。
【００５１】
前記実施例では、キー操作部に銘板が固定可能なリモコンに本発明を利用し、作成したキー標識レイアウト画像を銘板に印刷するようにした場合について説明したが、本発明はこれに限るものでなく、メンブレンシートによってキー操作部の形成可能なリモコンに本発明を利用し、作成したキー標識レイアウト画像をメンブレンシートに印刷するようにした場合についても利用することができる。
【図面の簡単な説明】
【００５２】
【図１】本発明によるリモコンのプリセット方法の一実施例を実施する装置のブロック図である。
【図２】図１の作用を説明するフローチャートである。
【図３】図１中のリモコン１０のキー操作部３１に銘板３５を貼着する前の状態を示す平面図である。
【図４】図１中のパソコン５０のディスプレイ５７の一部に、機器名等が表示された状態を示す図である。
【図５】図１中のパソコン５０のディスプレイ５７の一部に、「Ａ社製ａａ型ＴＶ」の複数のキー標識が表示された状態を示す図である。
【図６】図１中のパソコン５０のディスプレイ５７の一部に、「Ｃ社製ｃｃ型ＶＴＲ」の複数のキー標識が表示された状態を示す図である。
【図７】図１中のパソコン５０のプリンタ５９で、キー標識等が印刷された銘板３５を示す平面図である。
【図８】図７の銘板３５を図３のリモコン１０のキー操作部３１に貼着した状態を示す平面図である。
【図９】従来例のリモコン１００の構成を示すブロック図である。
【図１０】図９のリモコン１００にリモコンＡのリモコンデータを転送する方法を示す平面図である。
【図１１】他の従来例のリモコン２００の構成を示すブロック図である。
【図１２】図１１のリモコン２００の操作面を示す平面図である。
【符号の説明】
【００５３】
１０…リモコン（リモートコントローラ）
２５…ＲＡＭ（記憶部の一例）
３１…キー操作部
３５…銘板
５０…パソコン（コンピュータの一例）
５３…キーボード（入力部の一例）
５５…マウス（入力部の一例）
５７…ディスプレイ（表示部の一例）
５９…プリンタ（印刷部の一例）
６３…ＲＯＭ（記憶部の一例）
６５…ＲＡＭ（記憶部の一例）
【図１】
2006005808.tif 000003
【図２】
2006005808.tif 000004
【図３】
2006005808.tif 000005
【図４】
2006005808.tif 000006
【図５】
2006005808.tif 000007
【図６】
2006005808.tif 000008
【図７】
2006005808.tif 000009
【図８】
2006005808.tif 000010
【図９】
2006005808.tif 000011
【図１０】
2006005808.tif 000012
【図１１】
2006005808.tif 000013
【図１２】
2006005808.tif 000014